(57)【要約】【課題】吸収性物品の長手方向の端部近傍からの横漏れを防止する。【解決手段】吸収性物品１では、本体部２の両側部上に設けられた一対の側壁部３４がそれぞれ、長手方向の両端部において本体部２上に固定される２つの側壁端部３４１、および、２つの側壁端部３４１の間において本体部２から上側へと起立する起立部を備える。側壁端部３４１は、本体部２上に間接的に固定される固定部３４１１、および、固定部３４１１の幅方向における外側において起立部から連続するとともに長手方向に伸びる筒状空間３４１４を形成する空間形成部３４１３を備える。吸収性物品１では、起立部を伝わって側壁端部３４１に達した尿等の水分が筒状空間３４１４にて一時的に保持され、起立部を介して本体部２へと戻されて本体部２により吸収される。これにより、吸収性物品１の長手方向の端部近傍からの横漏れを防止することができる。【選択図】図３
2010094322.tif 000002
【特許請求の範囲】
【請求項１】
着用者からの排泄物を受ける吸収性物品であって、
バックシートとトップシートとの間に吸収コアが配置された略シート状の本体部と、
前記本体部の両側部上において前記本体部の長手方向のほぼ全長に亘って設けられた一対のサイドシートと、
を備え、
前記一対のサイドシートのそれぞれが、
前記長手方向の全長に亘って設けられた折り曲げ線の一方側の部位であり、前記本体部に接合される帯状の接合部と、
前記折り曲げ線の他方側の部位であり、一部が前記本体部から起立する側壁部と、
を備え、
前記側壁部が、
前記長手方向の両端部において前記本体部上に固定される２つの側壁端部と、
前記２つの側壁端部の間において前記２つの側壁端部から連続するとともに前記折り曲げ線から起立する起立部と、
前記起立部の前記長手方向のほぼ全長に亘って配置され、収縮することにより前記起立部を収縮させてギャザーを形成する弾性部材と、
を備え、
前記２つの側壁端部のうちの一方の側壁端部が、
前記起立部の上端部から前記長手方向に連続する部位であって前記起立部の上端から連続するエッジを前記長手方向に垂直な幅方向の内側に向けて前記本体部上に間接的または直接的に固定される固定部と、
前記固定部の前記幅方向における外側において前記起立部から連続する部位であって、筒状に折り曲げられることにより、または、前記接合部もしくは前記本体部と非接合とされることにより、前記長手方向に伸びるとともに前記長手方向における端部が閉塞された筒状空間を形成する空間形成部と、
を備えることを特徴とする吸収性物品。
【請求項２】
請求項１に記載の吸収性物品であって、
前記筒状空間の前記幅方向における幅が、前記起立部から離れるに従って漸次減少することを特徴とする吸収性物品。
【請求項３】
請求項１または２に記載の吸収性物品であって、
前記空間形成部にエンボス処理が施されていることを特徴とする吸収性物品。
【請求項４】
請求項１ないし３のいずれかに記載の吸収性物品であって、
前記側壁部が、前記折り曲げ線である前記接合部の前記幅方向の内側のエッジにて前記幅方向の外側に向かって折り返され、さらに、前記幅方向の内側に向かって折り返されることにより、前記一方の側壁端部において筒状に折り曲げられた前記空間形成部が形成されることを特徴とする吸収性物品。
【請求項５】
請求項１ないし４のいずれかに記載の吸収性物品であって、
前記２つの側壁端部のうちの他方の側壁端部が、
前記起立部の前記上端部から前記長手方向に連続する部位であって前記起立部の前記上端から連続するエッジを前記幅方向の内側に向けて前記本体部上に間接的または直接的に固定される固定部と、
前記固定部の前記幅方向における外側において前記起立部から連続する部位であって、筒状に折り曲げられることにより、または、前記接合部もしくは前記本体部と非接合とされることにより、前記長手方向に伸びるとともに前記長手方向における端部が閉塞された筒状空間を形成する空間形成部と、
を備えることを特徴とする吸収性物品。
【請求項６】
請求項１ないし５のいずれかに記載の吸収性物品であって、
着用者が着用する外装物品の内側に取り付けられる軽失禁用の吸収パッドであることを特徴とする吸収性物品。
【発明の詳細な説明】
【技術分野】
【０００１】
本発明は、着用者からの排泄物を受ける吸収性物品に関する。
【背景技術】
【０００２】
従来より、使い捨ておむつや下着に取り付けて使用される軽失禁用の吸収パッド等の吸収性物品では、両側部に着用者に向かって起立する一対の側壁部（いわゆる、立体ギャザー）が設けられており、これにより、尿等の排泄物が吸収性物品の側方から漏れることが防止されている。
【０００３】
このような吸収性物品では通常、側壁部の長手方向の両端部全体が吸収性物品の本体部の上面（例えば、トップシート）に固定されており、これらの固定された部位の間に設けられた弾性部材が収縮することにより、側壁部が着用者に向かって立ち上がる。例えば、特許文献１では、本体部の長手方向の端部において、防漏カフ形成用シートが本体部の側端部を上下から挟むように配置されて本体部の上下面に固定されている。
【特許文献１】特開２００６−１４１７６１号公報
【発明の開示】
【発明が解決しようとする課題】
【０００４】
ところで、特許文献１のような使い捨ておむつでは、側壁部の長手方向の端部（すなわち、本体部に固定された部位であり、以下、「側壁端部」という。）近傍では側壁部が立ち上がりにくく、側壁部の長手方向の中央部から側壁端部に達した尿等の水分が側方へと漏れてしまう（いわゆる、横漏れが生じる）おそれがある。
【０００５】
本発明は、上記課題に鑑みなされたものであり、吸収性物品の長手方向の端部近傍からの横漏れを防止することを目的としている。
【課題を解決するための手段】
【０００６】
請求項１に記載の発明は、着用者からの排泄物を受ける吸収性物品であって、バックシートとトップシートとの間に吸収コアが配置された略シート状の本体部と、前記本体部の両側部上において前記本体部の長手方向のほぼ全長に亘って設けられた一対のサイドシートとを備え、前記一対のサイドシートのそれぞれが、前記長手方向の全長に亘って設けられた折り曲げ線の一方側の部位であり、前記本体部に接合される帯状の接合部と、前記折り曲げ線の他方側の部位であり、一部が前記本体部から起立する側壁部とを備え、前記側壁部が、前記長手方向の両端部において前記本体部上に固定される２つの側壁端部と、前記２つの側壁端部の間において前記２つの側壁端部から連続するとともに前記折り曲げ線から起立する起立部と、前記起立部の前記長手方向のほぼ全長に亘って配置され、収縮することにより前記起立部を収縮させてギャザーを形成する弾性部材とを備え、前記２つの側壁端部のうちの一方の側壁端部が、前記起立部の上端部から前記長手方向に連続する部位であって前記起立部の上端から連続するエッジを前記長手方向に垂直な幅方向の内側に向けて前記本体部上に間接的または直接的に固定される固定部と、前記固定部の前記幅方向における外側において前記起立部から連続する部位であって、筒状に折り曲げられることにより、または、前記接合部もしくは前記本体部と非接合とされることにより、前記長手方向に伸びるとともに前記長手方向における端部が閉塞された筒状空間を形成する空間形成部とを備える。
【０００７】
請求項２に記載の発明は、請求項１に記載の吸収性物品であって、前記筒状空間の前記幅方向における幅が、前記起立部から離れるに従って漸次減少する。
【０００８】
請求項３に記載の発明は、請求項１または２に記載の吸収性物品であって、前記空間形成部にエンボス処理が施されている。
【０００９】
請求項４に記載の発明は、請求項１ないし３のいずれかに記載の吸収性物品であって、前記側壁部が、前記折り曲げ線である前記接合部の前記幅方向の内側のエッジにて前記幅方向の外側に向かって折り返され、さらに、前記幅方向の内側に向かって折り返されることにより、前記一方の側壁端部において筒状に折り曲げられた前記空間形成部が形成される。
【００１０】
請求項５に記載の発明は、請求項１ないし４のいずれかに記載の吸収性物品であって、前記２つの側壁端部のうちの他方の側壁端部が、前記起立部の前記上端部から前記長手方向に連続する部位であって前記起立部の前記上端から連続するエッジを前記幅方向の内側に向けて前記本体部上に間接的または直接的に固定される固定部と、前記固定部の前記幅方向における外側において前記起立部から連続する部位であって、筒状に折り曲げられることにより、または、前記接合部もしくは前記本体部と非接合とされることにより、前記長手方向に伸びるとともに前記長手方向における端部が閉塞された筒状空間を形成する空間形成部とを備える。
【００１１】
請求項６に記載の発明は、請求項１ないし５のいずれかに記載の吸収性物品であって、着用者が着用する外装物品の内側に取り付けられる軽失禁用の吸収パッドである。
【発明の効果】
【００１２】
本発明では、側壁端部に達した水分を筒状空間にて一時的に保持することにより、吸収性物品の長手方向の端部近傍からの横漏れを防止することができる。請求項２の発明では、筒状空間にて一時的に保持した水分を起立部を介して本体部へと速やかに戻すことができる。また、請求項３および４の発明では、筒状空間を大きくすることができる。
【発明を実施するための最良の形態】
【００１３】
図１は、本発明の第１の実施の形態に係る吸収性物品１を示す平面図であり、吸収性物品１は、着用者が着用する外装物品である下着の内側（すなわち、着用者側）に取り付けられて着用者からの尿等の排泄物を受ける軽失禁用の吸収パッドである。吸収性物品１は、パッケージ等における表示吸収量が約２００ｍｌ（ミリリットル）以下である吸収パッドであり、本実施の形態では、吸収性物品１の表示吸収量は２０ｍｌ以上４０ｍｌ以下とされる。ただし、吸収性物品１の実際の吸収量は表示吸収量よりも大きい。図１では、着用者に接する面（以下、「上面」という）を手前側にして吸収性物品１を描いている。
【００１４】
図２は、吸収性物品１を図１中に示すＡ−Ａの位置にて吸収性物品１の長手方向（すなわち、図１中の上下方向）に垂直な面で切断した断面図であり、図３は、吸収性物品１の図１中における上側の端部近傍の部位をＢ−Ｂの位置にて長手方向に垂直な面で切断した断面図である。吸収性物品１では、図１中における下側の端部近傍の部位も、図３に示す断面と同様の構造を有する。
【００１５】
図１および図２に示すように、吸収性物品１は、バックシート２３、制臭シート２４、吸収コア２２およびトップシート２１が下側（すなわち、着用者側とは反対側）から順に積層された略シート状の本体部２、並びに、本体部２の両側部上において（すなわち、長手方向に垂直な幅方向の両側において）本体部２の長手方向のほぼ全長に亘って設けられた一対のサイドシート３を備える。本体部２では、トップシート２１とバックシート２３との間に配置された吸収体である吸収コア２２の着用者側の主面である上面がトップシート２１により覆われ、吸収コア２２の着用者側とは反対側の主面である下面がバックシート２３により覆われる。トップシート２１およびバックシート２３は、ホットメルト接着剤等により吸収コア２２および制臭シート２４の周囲にて互いに接合される。図２では、図示の都合上、本体部２の各構成およびサイドシート３を分離して描いている（図３においても同様）。
【００１６】
トップシート２１は透液性のシート材料、例えば、親水性繊維により形成された不織布であり、着用者からの排泄物の水分を速やかに捕捉して吸収コア２２へと移動させる。トップシート２１として利用される不織布は、例えば、ポイントボンド不織布やエアスルー不織布、スパンレース不織布であり、これらの不織布を形成する親水性繊維としては通常、セルロースやレーヨン、コットン等が用いられる。なお、トップシート２１として、表面を界面活性剤により親水処理した疎水性繊維（例えば、ポリプロピレン、ポリエチレン、ポリエステル、ポリアミド、ナイロン）にて形成された透液性の不織布が利用されてもよく、また、開孔を有するプラスチックフィルムが利用されてもよい。
【００１７】
吸収コア２２は、厚さ方向に積層された２層のコア部材２２１，２２２（図２参照）を備える。コア部材２２１，２２２はそれぞれ、２枚の不織布の間に粒状の高吸水性ポリマー（例えば、ＳＡＰ（Super Absorbent Polymer））をホットメルト接着剤等により固定した上で当該２枚の不織布をホットメルト接着剤やヒートシール等により接合した構造とされ、トップシート２１を透過した水分を吸収して速やかに固定する。各コア部材では、高吸水性ポリマーは、それぞれが長手方向に連続的に伸びる帯状であって幅方向に配列された複数の領域に固定され、当該複数の領域の隙間（すなわち、高吸水性ポリマーの非存在領域）において２枚の不織布がヒートシール等により接合されることにより、高吸水性ポリマーの複数の存在領域が個別に封止される。
【００１８】
なお、コア部材２２１，２２２の構造は上記構造には限定されず、各コア部材は、親水性繊維（例えば、粉砕したパルプ繊維やセルロース繊維）に粒状の高吸水性ポリマーを混合したものをティッシュペーパーや透液性不織布等の被覆シートにより包み込んで形成されてもよい。この場合、親水性繊維を包む被覆シートは、親水性繊維および高吸水性ポリマーとホットメルト接着剤により接合されて、親水性繊維の型崩れ、および、高吸水性ポリマーの脱落（特に、吸水後における脱落）を防止する。また、吸収コア２２は、例えば、１つのコア部材により構成されてもよい。
【００１９】
バックシート２３は、撥水性または不透液性のプラスチックフィルムであり、トップシート２１を透過した排泄物が、本体部２の外部へとしみ出すことを防止する。吸収性物品１のムレを防止して着用者の快適性を向上するという観点からは、透湿性（すなわち、通気性）を有するプラスチックフィルムがバックシート２３として利用されることが好ましい。バックシート２３としては、撥水性または不透液性の不織布（例えば、スパンボンド不織布やメルトブロー不織布、ＳＭＳ（スパンボンド・メルトブロー・スパンボンド）不織布）や当該不織布の上側に撥水性または不透液性のプラスチックフィルムが積層された積層シートが利用されてもよい。
【００２０】
制臭シート２４は、制臭剤を含有する親水性のシート部材であり、制臭シート２４を形成する親水性繊維としては、例えば、セルロースやパルプが用いられる。制臭剤としては、好ましくは金属（例えば、銀、銅、亜鉛、鉄、ニッケルコバルト、パラジウム、白金）を担持するゼオライト等の無機多孔結晶が用いられる。
【００２１】
一対のサイドシート３はそれぞれ、図１ないし図３に示すように、撥水性または不透液性のシート部材であるサイドシート本体３１に、長手方向に伸びる弾性部材３２が接合されることにより形成される。サイドシート本体３１は、例えば、スパンボンド不織布、メルトブロー不織布、ＳＭＳ不織布、または、エアスルー不織布により形成される。また、サイドシート本体３１は、プラスチックフィルムや上記不織布とプラスチックフィルムとが積層された積層シートにより形成されてもよく、この場合、透湿性を有するプラスチックフィルムが利用されることにより、吸収性物品１のムレが防止されて着用者の快適性が向上される。弾性部材３２は、帯状のポリウレタンフィルムであり、ホットメルト接着剤によりサイドシート本体３１に接着される。弾性部材３２としては、帯状の天然ゴム、弾性糸であるポリウレタン糸や糸状の天然ゴム等が用いられてもよい。
【００２２】
図１ないし図３に示すように、一対のサイドシート３はそれぞれ、長手方向の全長に亘って設けられた折り曲げ線３９（図２および図３に示す。）の一方側の部位である帯状の接合部３３、および、折り曲げ線３９の他方側の部位である側壁部３４を備える。接合部３３は、本体部２の側方エッジ近傍において長手方向の全長に亘って本体部２の上側（すなわち、着用者側）にホットメルト接着剤を用いて接合される。図２および図３に示すように、側壁部３４は、折り曲げ線３９である接合部３３の幅方向の内側のエッジにて幅方向の外側に向かって折り返され、さらに、幅方向の内側に向かって折り返されるとともにその一部が本体部２から起立する。換言すれば、サイドシート３が折り曲げ線３９にて幅方向の外方へと折り返され、外方へと折り返された部位である側壁部３４が、幅方向のおよそ中央にて幅方向の内方、かつ、着用者側へと折り返される。
【００２３】
各側壁部３４は、図１および図３に示すように、長手方向の両端部において接合部３３上に重ねられてヒートシールにより接合部３３上に固定される２つの側壁端部３４１を備え、各側壁端部３４１は接合部３３を介して本体部２上に間接的に固定される。側壁部３４は、また、図１および図２に示すように、２つの側壁端部３４１の間において２つの側壁端部３４１から連続するとともに本体部２から上側へと起立する起立部３４２を備える。本実施の形態では、サイドシート３の側壁部３４（すなわち、起立部３４２および側壁端部３４１）にエンボス処理が施されている。
【００２４】
図１および図２に示すように、側壁部３４は、起立部３４２の長手方向のほぼ全長に亘って配置される帯状の弾性部材３２を備える。吸収性物品１が着用者に装着される際には、各サイドシート３において、伸張状態にて起立部３４２に接合された弾性部材３２が長手方向に収縮することにより、起立部３４２が長手方向に収縮してギャザーを形成するとともに、本体部２の側方エッジよりも内側に位置する折り曲げ線３９から（すなわち、本体部２の側方エッジから内側に離れた本体部２上の位置にて）上側へと起立する。そして、起立部３４２が着用者の足の付け根近傍の肌に密着する。
【００２５】
図１および図３に示すように、２つの側壁端部３４１はそれぞれ、起立部３４２の上端部（すなわち、図２に示す起立部３４２の上端３４２１を含む上端３４２１近傍の部位）から長手方向に連続する部位であるとともにヒートシールにより接合部３３上に固定される固定部３４１１を備える。固定部３４１１は、図３に示すように、起立部３４２の上端３４２１（図２参照）から連続するエッジ３４１７を幅方向の内側に向けて、接合部３３を介して本体部２上に間接的に固定される。図１では、図の理解を容易にするために、一対の側壁部３４の各固定部３４１１に平行斜線を付している（図８および図９においても同様）。
【００２６】
図１および図３に示すように、各側壁端部３４１は、また、固定部３４１１の幅方向における外側において起立部３４２から連続するとともに接合部３３上において長手方向に伸びる筒状空間３４１４を形成する空間形成部３４１３をさらに備える。空間形成部３４１３は、接合部３３および本体部２に非接合とされる。図３に示すように、空間形成部３４１３では、側壁部３４が筒状に折り曲げられて上層３４１５および下層３４１６の２層に積層され（より詳細には、上層３４１５は互いに接合された２層の不織布により形成される。）、上層３４１５および下層３４１６が互いに非接合とされることにより、上層３４１５および下層３４１６の間に上述の筒状空間３４１４が形成される。図３では、図の理解を容易にするために、筒状空間３４１４の高さを実際よりも大きく、かつ、矩形状に描いている（図５および図７においても同様）。
【００２７】
図１に示すように、吸収性物品１を長手方向に伸張した状態において、空間形成部３４１３の幅方向における幅は起立部３４２から離れるに従って漸次減少する。したがって、筒状空間３４１４の幅方向における幅も、起立部３４２から離れるに従って漸次減少する。また、側壁端部３４１の長手方向の端部（すなわち、起立部３４２とは反対側の端部）では、固定部３４１１が側壁端部３４１の全幅に亘って設けられている。換言すれば、側壁端部３４１の上層３４１５および下層３４１６（図３参照）が、長手方向の端部において全幅に亘って互いに接合されるとともに接合部３３にも接合されている。これにより、筒状空間３４１４の長手方向における端部が閉塞される。
【００２８】
以上に説明したように、吸収性物品１では、一対の側壁部３４の長手方向の端部近傍において、側壁端部３４１に長手方向に伸びるとともに長手方向における端部が閉塞された筒状空間３４１４を形成する空間形成部３４１３が設けられることにより、起立部３４２を伝わって側壁端部３４１に達した尿等の水分が筒状空間３４１４にて一時的に保持される。筒状空間３４１４に保持された水分は、筒状空間３４１４から起立部３４２へと戻され、起立部３４２を介して本体部２へと戻されて本体部２により吸収される。これにより、側壁端部３４１まで伝わってきた水分が側壁部３４を越えて側方へと漏れることが防止される。換言すれば、吸収性物品１の長手方向の端部近傍からの横漏れを防止することができる。吸収性物品１では、各側壁部３４の２つの側壁端部３４１がそれぞれ、空間形成部３４１３および固定部３４１１を備えることにより、吸収性物品１の長手方向の両側の端部近傍からの横漏れを防止することができる。
【００２９】
上述の吸収性物品１の構造は、長手方向の長さが小さいため尿等の水分が吸収コアに吸収される前に長手方向の端部に到達する可能性が比較的高く、長手方向の端部近傍からの横漏れ防止の必要性が比較的高い小型の軽失禁用の吸収パッドに特に適している。また、吸収性物品１では、筒状空間３４１４にて一時的に保持された水分が、最初に本体部２に到達した水分がある程度吸収された後に本体部２に戻されるため、吸収性物品１の構造は、吸収速度が比較的小さい高吸水性ポリマーが吸収コアに利用される吸収性物品に特に適している。
【００３０】
吸収性物品１の側壁端部３４１では、筒状空間３４１４の幅方向における幅が起立部３４２から離れるに従って漸次減少することにより、筒状空間３４１４に一時的に保持された水分が、筒状空間３４１４の奥の方（すなわち、起立部３４２から離れた長手方向の端部側）へと入り込んで出てこなくなってしまうことが防止される。その結果、筒状空間３４１４に一時的に保持された水分を、起立部３４２を介して本体部２へと速やかに戻して本体部２の吸収コア２２により、確実に固定することができる。
【００３１】
吸収性物品１では、上述のように、各サイドシート３の側壁部３４にエンボス処理が施されている。各側壁端部３４１では、空間形成部３４１３にエンボス処理が施されることにより、空間形成部３４１３が柔らかくかつ嵩高とされるため、空間形成部３４１３により形成される筒状空間３４１４を大きく維持することができる。
【００３２】
各サイドシート３では、側壁部３４が折り曲げ線３９にて幅方向の外側に向かって折り返され、さらに、幅方向の内側に向かって折り返されることにより、側壁端部３４１において筒状に折り曲げられた空間形成部３４１３が形成される。空間形成部３４１３では、２層に積層された上層３４１５および下層３４１６が互いに非接合とされることにより筒状空間３４１４が形成され、下層３４１６が接合部３３および本体部２に非接合とされることにより、空間形成部３４１３の形状の自由度が向上し（すなわち、平面的な形状から変形しやすくなり）、筒状空間３４１４が大きく形成される。
【００３３】
次に、本発明の第２の実施の形態に係る吸収性物品について説明する。図４および図５はそれぞれ、第２の実施の形態に係る吸収性物品１ａの長手方向の中央部および一方の端部近傍の一部（すなわち、右半分）を示す断面図であり、上述の図２および図３に対応する。図４および図５に示すように、吸収性物品１ａは、図１ないし図３に示す吸収性物品１のサイドシート３と形状が異なるサイドシート３ａを備える。その他の構成は、図１ないし図３と同様であり、以下の説明において同符号を付す。なお、吸収性物品１ａの左半分の形状は、図４および図５に示す右半分の形状と中心線に対して線対称となっており、また、吸収性物品１ａの長手方向の他方の端部近傍の形状も図５に示すものとなる。
【００３４】
吸収性物品１ａの各サイドシート３ａは、図４に示すように、接合部３３の幅方向の内側のエッジである折り曲げ線３９にて折り曲げられ、折り曲げ線３９の一方の部位である側壁部３４に、幅方向の内側かつ上側（すなわち、着用者側）に向かって起立するとともに本体部２のトップシート２１に対向する起立部３４２が設けられる。
【００３５】
また、各側壁端部３４１は、図５に示すように、起立部３４２（図４参照）の上端部から長手方向に連続する部位であるとともにヒートシールにより本体部２のトップシート２１に固定される固定部３４１１、および、固定部３４１１の幅方向における外側において起立部３４２から連続するとともに本体部２と非接合とされることにより長手方向に伸びる筒状空間３４１４を本体部２との間に形成する空間形成部３４１３を備える。固定部３４１１は、起立部３４２の上端３４２１（図４参照）から連続するエッジ３４１７を幅方向の内側に向けて本体部２上に直接的に固定される。空間形成部３４１３では、筒状空間３４１４の長手方向における端部（すなわち、起立部３４２とは反対側の端部）が閉塞される。
【００３６】
第２の実施の形態に係る吸収性物品１ａでは、第１の実施の形態と同様に、起立部３４２を伝わって側壁端部３４１に達した尿等の水分が筒状空間３４１４にて一時的に保持される。筒状空間３４１４に進入した水分は、筒状空間３４１４内において本体部２により吸収され、あるいは、筒状空間３４１４から起立部３４２を介して本体部２へと戻されて本体部２により吸収される。これにより、第１の実施の形態と同様に、吸収性物品１ａの長手方向の端部近傍からの横漏れを防止することができる。また、吸収性物品１ａでは、各側壁部３４の２つの側壁端部３４１がそれぞれ、空間形成部３４１３および固定部３４１１を備えることにより、吸収性物品１ａの長手方向の両側の端部近傍からの横漏れを防止することができる。
【００３７】
次に、本発明の第３の実施の形態に係る吸収性物品について説明する。図６および図７はそれぞれ、第３の実施の形態に係る吸収性物品１ｂの長手方向の中央部および一方の端部近傍の一部（すなわち、右半分）を示す断面図であり、上述の図４および図５に対応する。図６および図７に示すように、吸収性物品１ｂは、図１ないし図３に示す吸収性物品１のサイドシート３と形状が異なるサイドシート３ｂを備える。その他の構成は、図１ないし図３と同様であり、以下の説明において同符号を付す。なお、吸収性物品１ｂの左半分の形状は、図６および図７に示す右半分の形状と中心線に対して線対称となっており、また、吸収性物品１ｂの長手方向の他方の端部近傍の形状も図７に示すものとなる。
【００３８】
吸収性物品１ｂの各サイドシート３ｂは、図６に示すように、接合部３３の幅方向の外側のエッジである折り曲げ線３９にて幅方向の内側に向かって折り曲げられ、折り曲げ線３９の一方の部位である側壁部３４に、幅方向の内側かつ上側（すなわち、着用者側）に向かって起立するとともに接合部３３に対向する起立部３４２が設けられる。
【００３９】
また、各側壁端部３４１は、図７に示すように、起立部３４２（図６参照）の上端部から長手方向に連続する部位であるとともにヒートシールにより接合部３３に接合される固定部３４１１、および、固定部３４１１の幅方向における外側において起立部３４２から連続するとともに接合部３３と非接合とされることにより長手方向に伸びる筒状空間３４１４を形成する空間形成部３４１３を備える。固定部３４１１は、起立部３４２の上端３４２１（図６参照）から連続するエッジ３４１７を幅方向の内側に向けて本体部２上に間接的に固定される。空間形成部３４１３では、筒状空間３４１４の長手方向における端部（すなわち、起立部３４２とは反対側の端部）が閉塞される。
【００４０】
第３の実施の形態に係る吸収性物品１ｂでは、第１の実施の形態と同様に、起立部３４２を伝わって側壁端部３４１に達した尿等の水分が筒状空間３４１４にて一時的に保持され、筒状空間３４１４から起立部３４２を介して本体部２へと戻されて本体部２により吸収される。これにより、吸収性物品１ｂの長手方向の端部近傍からの横漏れを防止することができる。また、吸収性物品１ｂでは、各側壁部３４の２つの側壁端部３４１がそれぞれ、空間形成部３４１３および固定部３４１１を備えることにより、吸収性物品１ｂの長手方向の両側の端部近傍からの横漏れを防止することができる。
【００４１】
以上、本発明の実施の形態について説明してきたが、本発明は上記実施の形態に限定されるものではなく、様々な変更が可能である。
【００４２】
上記実施の形態に係る吸収性物品では、例えば、図８に示す吸収性物品１ｃのように、各側壁端部３４１において、空間形成部３４１３により形成される筒状空間の幅方向の幅が、第１の実施の形態と同様に、起立部３４２から離れるに従って漸次減少するが、固定部３４１１が、長手方向に配列されるとともに起立部３４２から離れるに従って幅が段階的に大きくなる複数の略長方形領域の集合とされるため、筒状空間の幅は、起立部３４２から離れるに従って段階的に小さくなる。この場合も、第１の実施の形態と同様に、空間形成部に設けられた筒状空間により、吸収性物品１ｃの長手方向の端部近傍からの横漏れを防止することができる。また、吸収性物品１ｃでは、固定部３４１１の形状を簡素化することにより、吸収性物品１ｃの製造を簡素化することができる。また、吸収性物品では、筒状空間３４１４の幅方向における幅は必ずしも起立部３４２から離れるに従って漸次減少する必要はなく、図９に示す吸収性物品１ｄのように、各側壁端部３４１において、空間形成部３４１３の幅方向の幅が全長に亘ってほぼ一定とされ、空間形成部３４１３により形成される筒状空間の幅もほぼ一定とされてもよい。
【００４３】
上述の吸収性物品１，１ａ〜１ｄでは、各側壁部３４において、２つの側壁端部３４１のうち一方の側壁端部３４１からの横漏れ防止の必要性が他方の側壁端部３４１に比べて高い場合等、一方の側壁端部３４１にのみ空間形成部３４１３が設けられ、他方の側壁端部３４１全体が接合部３３上または本体部２上に接合されてもよい（すなわち、他方の側壁端部３４１全体が固定部３４１１とされてもよい。）。この場合であっても、吸収性物品の長手方向の一方の端部近傍からの横漏れが防止される。
【００４４】
上述の吸収性物品の構造は、軽失禁パッド以外にも、使い捨ておむつや使い捨ておむつの着用者側に取り付けて使用される補助吸収具、あるいは、生理用ナプキンやパンティライナー等の様々な吸収性物品に適用されてよい。
【図面の簡単な説明】
【００４５】
【図１】第１の実施の形態に係る吸収性物品の平面図である。
【図２】吸収性物品の断面図である。
【図３】吸収性物品の断面図である。
【図４】第２の実施の形態に係る吸収性物品の部分断面図である。
【図５】吸収性物品の部分断面図である。
【図６】第３の実施の形態に係る吸収性物品の部分断面図である。
【図７】吸収性物品の部分断面図である。
【図８】吸収性物品の他の例を示す平面図である。
【図９】吸収性物品の他の例を示す平面図である。
【符号の説明】
【００４６】
１，１ａ〜１ｄ  吸収性物品
２  本体部
３，３ａ，３ｂ  サイドシート
２１  トップシート
２２  吸収コア
２３  バックシート
３２  弾性部材
３３  接合部
３４  側壁部
３９  折り曲げ線
３４１  側壁端部
３４２  起立部
３４１１  固定部
３４１３  空間形成部
３４１４  筒状空間
３４１７  エッジ
３４２１  上端
【図１】
2010094322.tif 000003
【図２】
2010094322.tif 000004
【図３】
2010094322.tif 000005
【図４】
2010094322.tif 000006
【図５】
2010094322.tif 000007
【図６】
2010094322.tif 000008
【図７】
2010094322.tif 000009
【図８】
2010094322.tif 000010
【図９】
2010094322.tif 000011